(57)【特許請求の範囲】
【請求項１】
筐体と、
支軸によって前記筐体の背面に回動可能に取り付けられ、前記筐体の前面の垂線に対して傾斜する下面を備えたスタンド部材と、
前記スタンド部材を、前記筐体に対して約９０度である第１の角度で回動された第１の突出位置と、前記第１の角度よりも大きな第２の角度で回動された第２の突出位置とにおいて保持可能な保持部材とを備えた携帯機器であって、
前記保持部材が前記スタンド部材を前記第１の突出位置において保持している状態で、前記筐体は前記スタンド部材の前記下面によって起立姿勢にあり、
前記保持部材は、前記スタンド部材が前記第２の角度を超えて回動しないように規制する規制部を備え、
前記スタンド部材の端部は、前記保持部材の前記規制部に当接し、前記保持部材の板バネ部と前記第２の突出位置にある前記規制部との間で回動している間、前記保持部材の前記板バネ部を押圧しかつ弾性変形させる、携帯機器。
【請求項２】
前記保持部材の前記板バネ部は、
前記スタンド部材が収納位置から前記第１の突出位置を超えて前記第２の突出位置まで回動される間、前記スタンド部材に対して、前記スタンド部材が前記収納位置から前記第１の突出位置までの間の回動負荷よりも高い回動負荷を与える、請求項１記載の携帯機器。
【請求項３】
前記スタンド部材は、
可撓性を有する材料で形成されている、請求項１または２に記載の携帯機器。
【発明の詳細な説明】
【技術分野】
【０００１】
本発明は、携帯型テレビジョン受像機などの携帯機器に関する。
【背景技術】
【０００２】
近年、地上デジタル放送の開始に伴い、１３セグメントの放送波のうち１つのセグメントを利用した携帯機器向け地上デジタル放送（以下、ワンセグ放送と称する）も開始され、ワンセグ放送を受信可能な携帯型テレビジョン受像機（以下、携帯テレビと称する）が普及しつつある。
【０００３】
このような携帯テレビは、ユーザーが手で把持して視聴したり、机の上などに載置して視聴するスタイルが一般的である。机の上に載置して視聴可能な携帯テレビは、筐体の背面（液晶ディスプレイが配された面の裏面）に、例えば特許文献１に開示されているようなスタンドを備えている。
【０００４】
携帯テレビのスタンドの構造としては、図１０〜図１２に示す構造がある。図１０は、従来の携帯テレビ２０１の外観斜視図である。携帯テレビは、図１０に示すように前面に液晶ディスプレイ２０２を備え、図１１及び図１２に示すように背面に回動軸２０４によって回動自在に支持されたスタンド２０３を備えている。スタンド２０３は、使用しない時は図１０における符号２０３ａに示す位置（収納位置）に配置し、使用する時は矢印Ｖに示す向きに回動させて符号２０３に示す位置（突出位置）に配置する。なお、スタンド２０３の回動可能な角度（収納位置から使用位置までの回動角）は約９０度である。
【特許文献１】実開平４−４８８６６号公報
【発明の開示】
【発明が解決しようとする課題】
【０００５】
しかしながら特許文献１に開示された構成は、写真用のスタンドであるため、携帯テレビなどのように重たい機器を起立姿勢で支持するためには、補強が必要である。
【０００６】
また、図９〜図１１に示すスタンドの構造では、携帯テレビなどのように重たい機器を起立姿勢で支持することはできるが、スタンド２０３自体の強度が低いため、携帯テレビが背面側に転倒しさらに押圧力が加わると容易に破損してしまう。
【０００７】
すなわち、スタンド２０３が図１２に示す突出位置にある時に矢印Ｘに示す向きに押圧力が加わると、携帯テレビ２０１が背面側に転倒してしまう。図１３は、携帯テレビ２０１が転倒した状態を示す。図１３に示すように、スタンド２０３が突出位置にある状態で転倒し、さらに携帯テレビ２０１に対して矢印Ｙに示す向きに押圧力が加わった場合、スタンド２０３が撓みにくい姿勢にあるため、押圧によるエネルギーが回動軸２０４の近傍に集中し、回動軸２０４の近傍が破損してしまう。
【０００８】
本発明の目的は、携帯テレビなどの携帯機器が転倒しさらに押圧力が加わったとしても、スタンドを破損しにくくした携帯機器を提供することがである。
【課題を解決するための手段】
【０００９】
本発明の携帯機器は、筐体と、支軸によって前記筐体の背面に回動可能に取り付けられ、前記筐体の前面の垂線に対して傾斜する下面を備えたスタンド部材と、前記スタンド部材を、前記筐体に対して約９０度である第１の角度で回動された第１の突出位置と、前記第１の角度よりも大きな第２の角度で回動された第２の突出位置とにおいて保持可能な保持部材とを備えた携帯機器であって、前記保持部材が前記スタンド部材を前記第１の突出位置において保持している状態で、前記筐体は前記スタンド部材の前記下面によって起立姿勢にあり、前記保持部材は、前記スタンド部材が前記第２の角度を超えて回動しないように規制する規制部を備え、前記スタンド部材の端部は、前記保持部材の前記規制部に当接し、前記保持部材の板バネ部と前記第２の突出位置にある前記規制部との間で回動している間、前記保持部材の前記板バネ部を押圧しかつ弾性変形させる。
【発明の効果】
【００１０】
本発明によれば、携帯機器が転倒しさらに押圧力が加わったとしても、スタンドを破損しにくくすることができる。
【発明を実施するための最良の形態】
【００１１】
本発明の携帯機器は、上記構成を基本として、以下のような態様をとることができる。
【００１２】
すなわち、本発明の携帯機器において、前記保持部材は、前記起立支持部材が前記収納位置から前記起立支持角度を超えて所定の回動角度を有する停止位置まで回動される間、前記起立支持部材に回動負荷を与える負荷付与部を備え、前記負荷付与部は、前記起立支持部材が前記収納位置から前記起立支持角度を有する位置までの間の回動負荷よりも高い回動負荷を前記起立支持部材に与える構成とすることができる。
【００１３】
また、本発明の携帯機器において、前記起立支持部材は、可撓性を有する材料で形成されている構成とすることができる。このような構成とすることで、起立支持部材が起立支持角度を超えて所定の回動角度を有する停止位置にある時に、携帯機器が起立支持部材を下側にして転倒し押圧力が加わったとしても、その押圧力によるエネルギーを起立支持部材の弾性変形により分散させることができるので、筐体における起立支持部材を支持している部分の破損を防ぐことができる。
【００１４】
（実施の形態）
図１Ａは、本実施の形態の携帯テレビの前面側の斜視図である。図１Ｂは、本実施の形態の携帯テレビの背面側の斜視図である。なお、本実施の形態では、携帯機器の一例として携帯テレビを挙げているが、少なくとも起立姿勢で使用する機器であればよい。
【００１５】
図１Ａに示すように、携帯テレビは、薄型の筐体１の前面に液晶ディスプレイ２を備えている。液晶ディスプレイ２は、受信した放送波を復調して得られた映像をカラー表示することができるディスプレイであり、本実施の形態では画面サイズを約５インチとした。また、筐体１の上面には、携帯テレビの電源のオン／オフを切り換え操作可能な電源スイッチ３ａ、受信チャンネルを切り換え操作可能なチャンネル切り換えスイッチ３ｂ、音声の音量を調節可能な音量調節スイッチ３ｃを備えている。また、筐体１の右側面には、記録媒体であるメモリーカードを着脱可能なメモリーカードスロット（不図示）と、メモリーカードスロットを開閉可能な第１のカバー部材６とを備えている。また、図１Ｂに示すように、筐体１の背面には、電池を収容可能な電池収納部（不図示）と、電池収納部を隠蔽する電池蓋４と、スタンド部材５（本発明の起立支持部材の一例）と、アンテナ８とを備えている、また、筐体１の左側面には、入出力端子（不図示）と、入出力端子を開閉可能な第２のカバー部材７とを備えている。本実施の形態は、スタンド部材５の構造に特徴がある。
【００１６】
スタンド部材５は、ポリカーボネートなどの可撓性を有する材料で形成されている。また、スタンド部材５は、図１Ｂに示す収納位置から支軸５１を中心に矢印Ａに示す向きへ回動可能である。図２Ａは、スタンド部材５が収納位置から矢印Ａに示す向きへ約９０度回動された状態にある携帯テレビの上面図である。図２Ｂは、図２Ａと同様の状態における右側面図である。図２Ａ及び図２Ｂに示すスタンド部材５の位置を「第１の突出位置」と称する。
【００１７】
スタンド部材５を図２Ａ及び図２Ｂに示す第１の突出位置まで回動させた状態にすることで、図３に示すように携帯テレビを机などの載置面１００に起立姿勢で載置することができる。本実施の形態では、スタンド部材５の下面５ｂは、筐体１の前面に対して僅かに傾斜した角度を有する。これにより、携帯テレビを載置面１００に起立姿勢で載置した時に、液晶ディスプレイ２の表示面を斜め上方に向かせることができるため、ユーザーにとって視聴しやすくなる。また、スタンド部材５は、図２Ａに示す第１の突出位置において、その長手方向が筐体１の背面に対して直交している位置にあるため、携帯テレビを載置面１００に起立姿勢で載置した時に、背面側（図３における矢印Ｃに示す向き）へ転倒しにくく、姿勢を安定させることができる。
【００１８】
また、スタンド部材５は、図２Ａに示す第１の突出位置からさらに矢印Ｂに示す向きへ回動可能である。図４は、スタンド部材５が収納位置から第１の突出位置を超えて回動した第２の突出位置にある状態を示す。本実施の形態では、収納位置から第２の突出位置までの回動角度を約１３５度（第１の突出位置から第２の突出位置の回動角度は約４５度）とした。また、スタンド部材５は、第２の突出位置にある時、矢印Ｂに示す向きへの回動は規制されている。具体的な回動規制機構については後述する。
【００１９】
また、スタンド部材５は、図２Ａに示す第１の突出位置から矢印Ｄに示す向きへ回動させることで、図１Ｂに示すように収納位置へ移行させることができる。
【００２０】
図５は、スタンド部材５およびそれを筐体１に支持する部材の分解斜視図である。
【００２１】
図５に示すように、スタンド部材５は、支軸５１によって筐体１に回動自在に支持される。また、スタンド部材５は、筐体１の背面を構成している背面筐体１２に形成された凹部１２ａ内に配置される。また、スタンド部材５は、保持部材５２によって収納位置及び突出位置においてクリック感が与えられる。また、スタンド部材５は、支軸５１を回転可能に支持する孔部を有する支持部５ｆと、支持部５ｆの外周円筒面に形成された第１の突起部５ｃ（後述する図６Ａ等参照）及び第２の突起部５ｄと、支持部５ｆの外周円筒面の一部である円弧部５ｅと、２カ所の支持部５ｆ間に形成された端部５ｇとが形成されている。第１の突起部５ｃは、スタンド部材５の表面５ａに対して直交する方向に突出して形成されている。第２の突起部５ｄは、スタンド部材５の表面５ａの面方向に突出して形成されている。
【００２２】
凹部１２ａは、スタンド部材５が収納位置（図１Ｂ参照）にある時に、スタンド部材５の表面５ａが筐体１の背面と同一面上か筐体１の背面よりも低くなるような深さを有する。よって、スタンド部材５が収納位置にある時に、筐体１の背面からスタンド部材５が突出しないため、例えば携帯テレビを鞄などに入れる際にスタンド部材５が鞄の内側に引っ掛かってスタンド部材５が第１の突出位置に向かって回動してしまうことを防止することができる。
【００２３】
また、凹部１２ａは、スタンド部材５の表面５ａの面積よりも大きな底面積を有する構成とすることで、スタンド部材５を収納した状態でスタンド部材５の周囲またはその一部に空隙を設けることができ、使用者においてスタンド部材５の端部を容易に掴むことができる。よって、スタンド部材５を容易に収納位置から第１の突出位置へ回動させることができる。
【００２４】
保持部材５２は、ビス（不図示）によって背面筐体１２の裏側に固定されている。また、保持部材５２は、スタンド部材５が収納位置及び第１の突出位置にある時にクリック感を与えるクリックバネ部５２ａと、スタンド部材５が第１の突出位置から第２の突出位置までの間に位置している時に付勢力を与える板バネ部５２ｃとを備えている。また、保持部材５２は、支軸５１を遊嵌保持する支持部５２ｄを備えている。クリックバネ部５２ａには、スタンド部材５に形成されている第１の突起部５ｃ及び第２の突起部５ｄが選択的に嵌合可能な凹部５２ｂが形成されている。
【００２５】
以下、回動動作について説明する。
【００２６】
図６Ａ〜図６Ｃは、スタンド部材５およびそれを支持する部材の断面図であり、保持部材５２のＹ−Ｙ部（図５参照）で破断した断面を示す。
【００２７】
まず、図６Ａに示すように、スタンド部材５が収納位置にある時は、第１の突起部５ｃがクリックバネ部５２ａに形成された凹部５２ｂに嵌合している。この時、クリックバネ部５２ａは、第１の突起部５ｃによって押圧されて矢印Ｇに示す向きに弾性変形している。これにより、スタンド部材５は、クリック感が与えられるとともに、矢印Ｅに示す向きへ自由に回動しないように規制されている。図６Ａに示す状態から、スタンド部材５を支軸５１を軸に矢印Ｅに示す向きへ回動させると、第１の突起部５ｃは、クリックバネ部５２ａを矢印Ｇに示す向きへ押圧して弾性変形させながら、凹部５２ｂから離脱する。スタンド部材５は、収納位置から約９０度回動させると、図６Ｂに示す第１の突出位置に至る。
【００２８】
図６Ｂに示す第１の突出位置では、第２の突起部５ｄが凹部５２ｂに嵌合している。また、クリックバネ部５２ａは、第２の突起部５ｄによって押圧されて矢印Ｇに示す向きに弾性変形している。これにより、スタンド部材５は、クリック感が与えられるとともに、矢印Ｈ及びＬに示す向きへ自由に回動しないように規制されている。
【００２９】
図６Ｂに示す状態から、スタンド部材５を支軸５１を軸に矢印Ｈに示す向きへ回動させると、第２の突起部５ｄは、クリックバネ部５２ａを矢印Ｇに示す向きへ押圧して弾性変形させながら、凹部５２ｂから離脱する。スタンド部材５を第１の突出位置から約４５度回動させると、図６Ｃに示す第２の突出位置に至る。
【００３０】
図６Ｃに示す第２の突出位置では、スタンド部材５の第２の突起部５ｄがクリックバネ部５２ａの端部５２ｅに乗り上げ、クリックバネ部５２ａを矢印Ｇに示す向きに押圧して弾性変形させている。
【００３１】
なお、第２の突起部５ｄが凹部５２ｂから離脱し、スタンド部材５が第２の突出位置に至るまでの間では、スタンド部材５が常にクリックバネ部５２ａを押圧して弾性変形させているため、スタンド部材５には矢印Ｆに示す向きの押圧力が加わり、回動負荷がかかる。
【００３２】
また、スタンド部材５は、図６Ｃに示す第２の突出位置からさらに矢印Ｋに示す向きへ押圧されたとしても、矢印Ｋに示す向きへの回動が規制されているため、矢印Ｋに示す浮きへは回動しない。具体的な回動規制機構については後述する。なお、スタンド部材５は可撓性を有する材料で形成されているため、図６Ｃに示す状態から矢印Ｋに示す向きに押圧された場合、矢印Ｋに示す向きに撓む。
【００３３】
また、スタンド部材５が図６Ｃに示す第２の突出位置にある状態から矢印Ｍに示す向きへ回動させると、図６Ｂに示す第１の突出位置へ至る。前述したように、第１の突出位置では第２の突起部５ｄと凹部５２ｂとが嵌合するためクリック感が与えられる。また、スタンド部材５が図６Ｂに示す第１の突出位置にある状態から矢印Ｌに示す向きへ回動させると、図６Ａに示す収納位置へ至る。前述したように、収納位置では第１の突起部５ｃと凹部５２ｂとが嵌合するためクリック感が与えられる。
【００３４】
図７Ａ〜図７Ｃは、携帯テレビにおけるスタンド部材５近傍の断面図であり、保持部材５２のＺ−Ｚ部（図５参照）で破断した断面を示す。
【００３５】
まず、図７Ａに示すように、スタンド部材５が収納位置にある時は、スタンド部材５の端部５ｇは板バネ部５２ｃから離れた位置にある。
【００３６】
次に、図７Ｂに示すように、スタンド部材５が第１の突出位置にある時は、端部５ｇは板バネ部５２ｃに接触する。この時、端部５ｇは、板バネ部５２ｃに接触するのみで押圧はしていない。図７Ｂに示す状態からスタンド部材５を矢印Ｈに示す向きに回動させると、端部５ｇは、板バネ部５２ｃを押圧して弾性変形させる。これにより、スタンド部材５に対して回動負荷がかかる。
【００３７】
端部５ｇは、図７Ｃに示すようにスタンド部材５が第２の突出位置に到達するまでの間、常に板バネ部５２ｃを押圧して弾性変形させている。また、端部５ｇは、図７Ｃに示すようにスタンド部材５が第２の突出位置にある時は、保持部材５２の規制部５２ｆに当接し、スタンド部材５が矢印Ｋに示す向きに回動するのを規制している。
【００３８】
次に、携帯テレビが転倒した際の動作について説明する。
【００３９】
図３に示すように、スタンド部材５が第１の突出位置にあり、携帯テレビが机の上などに起立姿勢で載置されている時に、液晶ディスプレイ２の表示面に押圧力が加わった場合、携帯テレビは矢印Ｃに示す方向に転倒しようとする場合がある。この時、スタンド部材５は、第１の突出位置から収納位置へ向かう方向（図２Ａにおける矢印Ｄに示す方向）に回動するか、第１の突出位置から第２の突出位置（図２Ａにおける矢印Ｂに示す方向）へ向かう方向に回動する。
【００４０】
スタンド部材５が収納位置へ向かう方向に回動すると、スタンド部材５は凹部１２ａ内に収容され、筐体１の背面が机の表面に面当接した状態になる。よって、スタンド部材５は破損しない。
【００４１】
一方、スタンド部材５が第２の突出位置へ向かう方向に回動すると、スタンド部材５は図８Ａに示す状態になる。図８Ａに示す状態は、携帯テレビが背面の一部とスタンド部材５とで支持された状態である。この状態において矢印Ｎに示す向きに力がかかった場合、スタンド部材５は押圧方向（矢印Ｎ）に対する傾斜角が大きいため、図８Ｂに示すように弾性変形する。すなわち、筐体１にかかる矢印Ｎに示す向きの力が、スタンド部材５の弾性変形により分散され、支軸５１の近傍にかかる力を低減することができる。よって、スタンド部材５の支軸５１の近傍が破損するのを防ぐことができる。
【００４２】
本実施の形態によれば、スタンド部材５が第１の突出位置からさらに回動させた第２の突出位置まで回動可能な構成としたことにより、携帯テレビが起立姿勢の時に液晶ディスプレイ２の表示面に押圧力が加わって背面側に転倒し、さらに図８Ａにおける矢印Ｎに示すような力が加わったとしても、スタンド部材５が弾性変形するので、スタンド部材５の回動軸近傍にかかる力を低減することができ、スタンド部材５の回動軸近傍の機構の破損を防止することができる。
【００４３】
また、スタンド部材５が第１の突出位置からさらに回動させた第２の突出位置まで回動可能な構成としたことにより、ドライバー６１でビス１２ｃを締め付けやすくすることができる。ビス１２ｃは、背面筐体１２を筐体１１に固定するものであり、背面筐体１２におけるスタンド部材５の取付部分の強度を高くするために、電池収納凹部１２ａにおける極力支軸５１に近い位置に配される。ビス１２ｃを支軸５１に近い位置に配した場合、携帯テレビの組立時、スタンド部材５が障害となりドライバーをビス１２ｃの頭部に嵌合させにくい。本実施の形態では、図９に示すように、スタンド部材５を第２の突出位置まで回動可能な構成としたことで、ドライバー６１でビス１２ｃを締め付ける場合、スタンド部材５が障害にならない。よって、組立作業性を向上することができる。
【００４４】
また、保持部材５２に板バネ部５２ｃを設け、スタンド部材５が第１の突出位置と第２の突出位置との間を回動する時にスタンド部材５に回動負荷を与える構成としたことにより、使用者に対して第１の突出位置と第２の突出位置との間は通常使用時における回動区間ではないことを知らしめることができる。すなわち、収納位置と第２の突出位置との間におけるスタンド部材５の回動負荷が均一であった場合は、使用者が誤って収納位置から第２の突出位置まで回動してしまい、スタンド部材５を第２の突出位置に配置した状態で机の上などに載置してしまう可能性がある。これでは、携帯テレビが背面側に容易に転倒してしまい、筐体１に傷を付けてしまうなどの問題が生じる。本実施の形態のように、収納位置から第１の突出位置までの間の回動負荷よりも、第１の突出位置から第２の突出位置までの間の回動負荷を大きくすることで、使用者は、スタンド部材５を収納位置から第１の突出位置まで回動させた後、第２の突出位置に向かって回動させる際にスタンド部材５の回動負荷が大きくなったことを体感することができる。よって、本実施の形態のような構成とすることで、使用者に対して第１の突出位置から第２の突出位置へ向かって回動させないように促すことができる。
【００４５】
なお、本実施の形態では、携帯機器の一例として携帯型テレビジョン受像機を挙げたが、例えばメモリーカードに記録された静止画を表示する電子フォトスタンドや、据置型オーディオ機器における薄型スピーカーユニットなど、少なくともスタンドにより起立姿勢にして使用する機器であれば本実施の形態は有効である。
【産業上の利用可能性】
【００４６】
本発明は、任意の場所に起立姿勢で設置が可能な携帯機器に有用である。
【図面の簡単な説明】
【００４７】
【図１Ａ】実施の形態における携帯機器の外観を示す斜視図
【図１Ｂ】実施の形態における携帯機器の外観を示す斜視図
【図２Ａ】携帯機器の上面図
【図２Ｂ】携帯機器の右側面図
【図３】携帯機器を載置面に載置した状態を示す右側面図
【図４】携帯機器の上面図
【図５】携帯機器の分解斜視図
【図６Ａ】携帯機器においてスタンド部材が収納位置にある時の断面図
【図６Ｂ】携帯機器においてスタンド部材が第１の突出位置にある時の断面図
【図６Ｃ】携帯機器においてスタンド部材が第２の突出位置にある時の断面図
【図７Ａ】携帯機器においてスタンド部材が収納位置にある時の断面図
【図７Ｂ】携帯機器においてスタンド部材が第１の突出位置にある時の断面図
【図７Ｃ】携帯機器においてスタンド部材が第２の突出位置にある時の断面図
【図８Ａ】携帯機器が背面側に転倒した状態を示す側面図
【図８Ｂ】携帯機器が背面側に転倒し押圧された状態を示す側面図
【図９】ビスを締め付ける際の携帯機器の断面図
【図１０】従来の携帯機器の斜視図
【図１１】従来の携帯機器の上面図
【図１２】従来の携帯機器の右側面図
【図１３】従来の携帯機器が背面側に転倒した状態を示す側面図
【符号の説明】
【００４８】
１  筐体
５  スタンド部材
５２  保持部材
【図１Ａ】
0005184977.tif 000002
【図１Ｂ】
0005184977.tif 000003
【図２Ａ】
0005184977.tif 000004
【図２Ｂ】
0005184977.tif 000005
【図３】
0005184977.tif 000006
【図４】
0005184977.tif 000007
【図５】
0005184977.tif 000008
【図６Ａ】
0005184977.tif 000009
【図６Ｂ】
0005184977.tif 000010
【図６Ｃ】
0005184977.tif 000011
【図７Ａ】
0005184977.tif 000012
【図７Ｂ】
0005184977.tif 000013
【図７Ｃ】
0005184977.tif 000014
【図８Ａ】
0005184977.tif 000015
【図８Ｂ】
0005184977.tif 000016
【図９】
0005184977.tif 000017
【図１０】
0005184977.tif 000018
【図１１】
0005184977.tif 000019
【図１２】
0005184977.tif 000020
【図１３】
0005184977.tif 000021